(57)【特許請求の範囲】
【請求項１】
不燃材からなる鼻隠し材と、不燃材からなる軒天材との接合位置で、軒天材側に軒先防火通気金物が介装され、当該軒先防火通気金物は、断面略コ字形に形成され、その両フランジ部に通気用のスリットが桁行方向に沿って多数個穿設されるとともに、下部フランジ部及びウェブ部の内表面には、各々不燃系発泡材が前記桁行方向に連続して固定されており、平常時には、前記軒先防火通気金物と前記軒天材との間の空間及び軒内部側と軒外部側の前記各スリットからなる通気経路を介して、軒外部と、軒内部及び小屋裏との間で通風換気がなされ、火災時には、前記不燃系発泡材が膨張することにより前記通気経路を遮蔽する軒裏の防火通気構造において、
前記軒先防火通気金物の軒内部側に配設される木部表面が遮蔽用不燃材で被覆され、前記軒天材が、上下２枚の軒天材から構成されるとともに、下部の軒天材が上部の軒天材よりも前記鼻隠し材方向に延出されて構成されて前記軒天防火通気金物の内側に所定の間隔をあけて挿入され、前記軒天防火通気金物が、上部の軒天材の鼻隠し材方向の先端部に当接して配置されたことを特徴とする軒裏の防火通気構造。
【請求項２】
前記軒先防火通気金物の軒内部側で、前記桁行方向に配設される木部表面を前記遮蔽用不燃材で被覆してなる請求項１記載の軒裏の防火通気構造。
【請求項３】
前記軒先防火通気金物の軒内部側で、前記桁行方向に配設される木部表面とともに軒先方向に配設される木部表面を各々前記遮蔽用不燃材で被覆してなる請求項１記載の軒裏の防火通気構造。
【請求項４】
前記不燃材が、硬質木片セメント板、木繊維混入セメント・けい酸カルシウム板、繊維補強セメント板、繊維混入セメント・石灰・けい酸カルシウム板又は繊維混入セメント・けい酸カルシウム板、石膏ボードその他の防火性能を有する材質の内いずれかから選択的に採用されている請求項１乃至請求項３のいずれかに記載の軒裏の防火通気構造。
【発明の詳細な説明】
【０００１】
【発明の属する技術分野】
本発明は枠組壁工法の住宅等に適用される、耐火性能、通風換気性能及び施工性に優れた軒裏の防火通気構造に関するものである。
【０００２】
【従来の技術】
従来の準防火地域等に建築される木造住宅等の軒裏には、小屋裏との間で所定の通気を行い、かつ、火災時には所定の防火性能を有するものとして、防火ダンパー付きの換気孔を用いる方式（従来例１）がある。
この従来例１では、防火ダンパーは小屋裏と外部とを鋼板製のスリット状の換気孔で連通して通常時は小屋裏内と外部との間の通気を行っており、小屋裏内の面積に応じて法規上必要とされる防火ダンパーの個数が設定されている。
【０００３】
一方、火災時にはこの防火ダンパーの鋼板製のスリット状の換気孔部分が延焼経路となる恐れがあるため、鋼板製のスリット状の換気孔部分を閉塞するように各防火ダンパー毎にもう１枚の鋼板を配設し、この防火用の鋼板をばねで鋼板製のスリット状の換気孔方向に引っ張っておき、火災を関知するとヒューズが溶けてばねの作用により防火用の鋼板が鋼板製のスリット状の換気孔部分を塞ぐように構成されていた。
【０００４】
しかしながら、かかる従来の防火ダンパーを使った構成では、防火ダンパー自体の構成が複雑であり、また、さらに高い耐火性能を要求される場合には、これに対応できないという問題があった。
【０００５】
一方、準防火地域等に建築される木造住宅等では、図４及び図５に示すような、軒先防火通気金物１を使用して、通風換気性能と耐火性能とを具備することを目指した方式のもの（従来例２）が存在する。
本従来例２における軒先防火通気金物１は、図４に示すように、本体部が断面略コ字形に形成されている。
そして、その上部フランジ部２及び下部フランジ部３に夫々通気用のスリット５、５が長手方向に沿って多数個穿設されている。
さらに、下部フランジ部３及びウェブ部４の内表面には、各々グラファイト系発泡材６、６が長手方向に連続して固定されている。
【０００６】
なお、下部フランジ部３では、当該下部フランジ部３に凹部７が長手方向に沿って連続形成されており、この凹部７内に下部フランジ部３側のグラファイト系発泡材６が嵌合固定されているものである。
また、図４において８は、軒先防火通気金物１の取付金具であり、一対の長孔９、９が形成されてビス等により相手部材に固定可能となっている。
【０００７】
図５は、本従来例２に係る軒先防火通気金物１を軒先部分に配設した場合をしめしており、不燃材からなる鼻隠し材１０と、不燃材からなる軒天材１１との接合位置で、軒天材１１側に軒先防火通気金物１が介装されている。
そして火災時には、グラファイト系発泡材６が膨張することにより防火ダンパーとして機能して、軒先防火通気金物１による通気経路を遮蔽する機構となっている。
【０００８】
ここで本従来例２では、火災時に軒先防火通気金物１部分で軒外部側からの炎を遮断することは可能であるが、金属製である軒先防火通気金物１自身が高温となるため、遮熱することは困難である。
ところが、軒先防火通気金物１の軒内部側には、軒先防火通気金物１の直上位置に、鼻隠し下地材１２や野縁材１３が桁行方向に配設されており、これらの木部は不燃材ではないため、所定時間が経過すると、鼻隠し下地材１２や野縁材１３は、高温となった軒先防火通気金物１の熱気により発火し、軒内部が延焼する危険性があるという問題を有していた。
【０００９】
【発明が解決しようとする課題】
本発明は、上記した従来の問題点を解決し、所定の通気性能と耐火性能とを達成して軒内部への延焼を有効に防止し、かつ簡便に施工しうる軒裏の防火通気構造を提供することを課題とするものである。
【００１０】
【課題を解決するための手段】
上記課題を達成するため、請求項１記載の発明では、不燃材からなる鼻隠し材と、不燃材からなる軒天材との接合位置で、軒天材側に軒先防火通気金物が介装され、当該軒先防火通気金物は、断面略コ字形に形成され、その両フランジ部に通気用のスリットが桁行方向に沿って多数個穿設されるとともに、下部フランジ部及びウェブ部の内表面には、各々不燃系発泡材が前記桁行方向に連続して固定されており、平常時には、前記軒先防火通気金物と前記軒天材との間の空間及び軒内部側と軒外部側の前記各スリットからなる通気経路を介して、軒外部と、軒内部及び小屋裏との間で通風換気がなされ、火災時には、前記不燃系発泡材が膨張することにより前記通気経路を遮蔽する軒裏の防火通気構造において、前記軒先防火通気金物の軒内部側に配設される木部表面が遮蔽用不燃材で被覆され、前記軒天材が、上下２枚の軒天材から構成されるとともに、下部の軒天材が上部の軒天材よりも前記鼻隠し材方向に延出されて構成されて前記軒天防火通気金物の内側に所定の間隔をあけて挿入され、前記軒天防火通気金物が、上部の軒天材の鼻隠し材方向の先端部に当接して配置されたことを特徴としている。
【００１１】
また、請求項２記載の発明では、請求項１記載の発明の構成に加えて、前記軒先防火通気金物の軒内部側で、前記桁行方向に配設される木部表面を前記遮蔽用不燃材で被覆してなる構成を特徴としている。
【００１２】
また、請求項３記載の発明では、請求項１記載の発明の構成に加えて、前記軒先防火通気金物の軒内部側で、前記桁行方向に配設される木部表面とともに軒先方向に配設される木部表面を各々前記遮蔽用不燃材で被覆してなる構成を特徴としている。
【００１３】
さらに、請求項４記載の発明では、請求項１乃至請求項３のいずれかに記載の発明の構成に加えて、前記不燃材が、硬質木片セメント板、木繊維混入セメント・けい酸カルシウム板、繊維補強セメント板、繊維混入セメント・石灰・けい酸カルシウム板又は繊維混入セメント・けい酸カルシウム板、石膏ボードその他の防火性能を有する材質の内いずれかから選択的に採用されている構成を特徴としている。
【００１４】
【発明の実施の形態】
以下、本発明の好適な実施形態を図面により説明する。
図１及び図２は本発明の第１実施形態を示すものであり、本発明に係る軒裏の防火通気構造を枠組壁工法による住宅に適用した場合を例示している。
【００１５】
図１に示すように本実施形態に係る軒裏の防火通気構造では、不燃材からなる鼻隠し材１０と、不燃材からなる軒天材１１との接合位置で、軒天材１１側に軒先防火通気金物１が介装されている。
【００１６】
軒先防火通気金物１自体の構成は、上記従来例２で説明したのと同様であるため詳細な説明は省略するが、断面略コ字形に形成され、その上部フランジ部２及び下部フランジ部３の各々に通気用のスリット５が長手方向（建物の桁行方向）に沿って多数個穿設されるとともに、下部フランジ部３及びウェブ部４の内表面には、各々グラファイト系発泡材等の不燃系発泡材６が桁行方向に連続して固定されている構成となっている。
【００１７】
なお、本実施形態では、鼻隠し材１０は、第１鼻隠し材１０ａと、第２鼻隠し材１０ｂと、第３鼻隠し材１０ｃの３枚の不燃材からなる場合を例示しているが、これに限定されるものではなく、図２に示すように２枚の鼻隠し材１０で構成しても良く、その構成枚数は任意に選択しうるものである。また、軒天材１１は、下部の第１軒天材１１ａと、上部の第２軒天材１１ｂとから構成されて所定の厚さ寸法を有しており、第１軒天材１１ａの方が第２軒天材１１ｂよりも所定長さ寸法分だけ鼻隠し材１０方向に延長されており、第２軒天材１１ｂの鼻隠し材１０方向の先端部に軒先防火通気金物１の上部フランジ部２の端部が当接した状態となっている。なお、軒天材１１としては本実施形態のように第１軒天材１１ａと、第２軒天材１１ｂの２枚から構成するのが耐火性能の点で望ましい。
【００１８】
そして、軒先防火通気金物１と第１軒天材１１ａとの間の空間及び軒内部３０側に面する上部フランジ部２と、軒外部３１側に面する下部フランジ部３との各スリット５、５からなる通気経路が形成されている。
よって、図１に矢線で示すように、軒外部３１側のスリット５から軒先防火通気金物１内に入った空気は、軒先防火通気金物１と第１軒天材１１ａとの間の空間を通過し、軒内部３０側のスリット５から軒内部３０に至り、さらに、軒内部３０から小屋裏３２に達する。
一方、逆の場合には、小屋裏３２から軒内部３０を経て軒内部３０側のスリット５から軒先防火通気金物１内に入った空気は、軒先防火通気金物１と第１軒天材１１ａとの間の空間を通過し、軒外部３１側のスリット５から外部に排出される。
これにより、平常時には、所定の軒裏の通風換気がなされるように構成されている。
【００１９】
軒内部３０には、図１及び図２に示すように鼻隠し材１０側に鼻隠し下地材１２と第１野縁材１４とが各々桁行方向に配設されている。
この鼻隠し下地材１２と第１野縁材１４とは、軒先防火通気金物１の直上位置に当該軒先防火通気金物１と所定の間隔を画して配置されている。
また、外壁材１７側では、外壁材１７上端部近傍と第２軒天材１１ｂとに当接して第２野縁材１５が桁行方向に配設されており、また、第１野縁材１４と第２野縁材１５とに両端部が当接して第３野縁材１６が、所定間隔をおいて軒先方向に配設されている。
即ち、第３野縁材１６は、第１野縁材１４及び第２野縁材１５と直交して配設されている。
【００２０】
鼻隠し下地材１２、第１野縁材１４、第２野縁材１５及び第３野縁材１６は、不燃材ではない木部で構成されており、本実施形態の特徴とするところは、軒先防火通気金物１の直上位置で軒内部３０側の桁行方向に配設された木部としての鼻隠し下地材１２及び第１野縁材１４の軒先防火通気金物１側の表面を第１遮蔽用不燃材１８で被覆したことにある。
【００２１】
なお、本明細書中における不燃材としては、硬質木片セメント板、木繊維混入セメント・けい酸カルシウム板、繊維補強セメント板、繊維混入セメント・石灰・けい酸カルシウム板又は繊維混入セメント・けい酸カルシウム板、石膏ボードその他の防火性能を有する材質の内いずれかから選択的に採用することができる。
その他、図１において２０は垂木材、２１は屋根下地材、２２は屋根材、２３は防火キャップカラー鉄板である。
【００２２】
上記構成からなる本実施形態では、通常時は上記の如く所定の軒裏の通風換気が可能である。
そして、火災時には、軒先防火通気金物１の各不燃系発泡材６、６が各々膨張することにより上記通気経路を遮蔽して、軒先防火通気金物１部分で軒外部３１側からの炎を遮断することが可能である。
但し、火災時の時間の経過とともに、金属製である軒先防火通気金物１自身が高温となる。
しかしながら、本実施形態では、軒先防火通気金物１の直上位置で軒内部３０側の桁行方向に配設された木部としての鼻隠し下地材１２及び第１野縁材１４の軒先防火通気金物１側の表面を第１遮蔽用不燃材１８で被覆してあるため、高温となった軒先防火通気金物１の熱気を第１遮蔽用不燃材１８が遮断して、木部としての鼻隠し下地材１２及び第１野縁材１４に当該熱気が伝達するのを有効に防止することが出来るため、軒外部３１側からの炎による軒内部３０への延焼を確実に防ぐことが可能となる。
よって、所定の耐火性能をより向上させて、耐火時間をより長くすることが出来る。
また、第１遮蔽用不燃材１８で被覆するだけで良いため、施工性も極めて良好で簡便に施工可能となる。
【００２３】
次に、図３は本発明の第２実施形態を示すものであり、本実施形態の特徴とするところは、軒先防火通気金物１の直上位置で軒内部３０側の桁行方向に配設された木部としての鼻隠し下地材１２及び第１野縁材１４の軒先防火通気金物１側の表面を第１遮蔽用不燃材１８で被覆し、さらに、軒内部３０側の軒先方向に配設された木部としての第３野縁材１６の軒先防火通気金物１側の表面を第２遮蔽用不燃材１９で被覆した点にある。
その他の構成は、上記第１実施形態と同様であるため、同一構成要素には同一符号を付して説明を省略する。
【００２４】
本実施形態では、第１遮蔽用不燃材１８に加えて、軒内部３０側の軒先方向に配設された木部としての第３野縁材１６の軒先防火通気金物１側の表面を第２遮蔽用不燃材１９で被覆してあるため、上記した第１遮蔽用不燃材１８による作用効果の他に、火災時に高温となった軒先防火通気金物１の熱気を第２遮蔽用不燃材１９が遮断して、木部としての第３野縁材１６に当該熱気が伝達するのを有効に防止することが出来るため、軒外部３１側からの炎による軒内部３０への延焼をより確実に防ぐことが可能となる。
【００２５】
なお、上記各実施形態では、軒先防火通気金物１の直上位置で軒内部３０側の桁行方向に木部としての鼻隠し下地材１２及び第１野縁材１４が並列的に配設された納まりの場合を例示したが、本発明はこれに限定されず、例えば鼻隠し下地材１２の直下位置に第１野縁材１４が配設される納まり等も可能であり、この場合には、木部としての第１野縁材１４の軒先防火通気金物１側の表面を第１遮蔽用不燃材１８で被覆すれば良い等、要するに火災時に高温となった軒先防火通気金物１からの熱気を直接受ける軒内部３０部分の木部を第１遮蔽用不燃材１８あるいは第２遮蔽用不燃材１９で被覆すれば良いものである。
また、納まりによっては、軒内部３０部分の木部を第１遮蔽用不燃材１８あるいは第２遮蔽用不燃材１９に加えて更に他の遮蔽用不燃材で被覆することも可能である。
【００２６】
その他、上記各実施形態では、屋根形状としては切妻形状の屋根を想定した場合を例示したが本発明はこれに限定されず、例えば屋根形状としては、寄棟形状あるいは方形形状の屋根に本発明を適用することも可能である等、本発明の要旨を逸脱しない範囲内で種々の変形例を採用することが可能である。
【００２７】
【発明の効果】
本発明は上述した如く構成されており、以下のような効果を奏しうる。
(1) 請求項１記載の発明では、軒先防火通気金物の軒内部側に配設される木部表面を遮蔽用不燃材で被覆することにより、火災時に高温となった軒先防火通気金物の熱気を遮蔽用不燃材が遮断して、木部に当該熱気が伝達するのを有効に防止することが出来るため、軒外部側からの炎による軒内部への延焼を確実に防ぐことが可能となる。
よって、所定の耐火性能をより向上させて、耐火時間をより長くすることが出来る。
また、遮蔽用不燃材で被覆するだけで良いため、施工性も極めて良好で簡便に施工可能となる。
(2) 請求項２記載の発明では、軒先防火通気金物の軒内部側で、桁行方向に配設される木部表面を遮蔽用不燃材で被覆することにより、当該桁行方向に配設される木部表面への熱気が伝達するのを有効に防止することが出来る。
(3) 請求項３記載の発明では、軒先防火通気金物の軒内部側で、桁行方向に配設される木部表面とともに軒先方向に配設される木部表面も各々前記遮蔽用不燃材で被覆することにより、木部表面への熱気が伝達するのをより有効に防止することが出来る。
【図面の簡単な説明】
【図１】本発明の第１実施形態に係る軒裏の防火通気構造の一構成例を示す要部断面図である。
【図２】本発明の第１実施形態に係る軒裏の防火通気構造の一構成例を示す要部斜視図である。
【図３】本発明の第２実施形態に係る軒裏の防火通気構造の一構成例を示す要部断面図である。
【図４】軒先防火通気金物の構成を示す要部斜視図である。
【図５】従来の軒裏の防火通気構造を示す要部斜視図である。
【符号の説明】
１      軒先防火通気金物
２      上部フランジ部
３      下部フランジ部
４      ウェブ部
５      スリット
６      グラファイト系発泡材（不燃系発泡材）
７      凹部
８      取付金具
９      長孔
１０      鼻隠し材
１０ａ    第１鼻隠し材
１０ｂ    第２鼻隠し材
１０ｃ    第３鼻隠し材
１１      軒天材
１１ａ    第１軒天材
１１ｂ    第２軒天材
１２      鼻隠し下地材（木部）
１３      野縁材（木部）
１４      第１野縁材（木部）
１５      第２野縁材
１６      第３野縁材（木部）
１７      外壁材
１８      第１遮蔽用不燃材
１９      第２遮蔽用不燃材
２０      垂木材
２１      屋根下地材
２２      屋根材
２３      防火キャップカラー鉄板
３０      軒内部
３１      軒外部
３２      小屋裏
【図１】
0003898831.tif 000002
【図２】
0003898831.tif 000003
【図３】
0003898831.tif 000004
【図４】
0003898831.tif 000005
【図５】
0003898831.tif 000006